(57)【要約】【課題】  ディスク等の担体が筐体内で高速回転時にディスク表面で生ずる風切り騒音を低減可能な電子機器および光ディスク記録／再生装置を得る。【解決手段】  本発明は、光ディスク１５をトレイ１４に載置し、筐体１３の外部からトレイ１４の内部に搬送することで筐体１３の周囲全体を覆う様に筐体１３の内部を密閉し、光ディスク１５のデータを記録／再生する記録/再生部２１を駆動させて、筐体１３のいずれかの位置に配設した透孔１３ｆを介して真空ポンプ部３０により、筐体１３の内部の空気を排出するとで、筐体１３内の気圧を減圧する様にした電子機器および光ディスク記録／再生装置を提供する。【選択図】  図１
2008226419.tif 000002
【特許請求の範囲】
【請求項１】
光ディスクを記録/再生する電子機器に於いて、
前記光ディスクを載置し、該光ディスクを筐体の外部から内部に搬送するトレイと、
前記トレイによって前記筐体内に搬送される前記光ディスクを回転させ、該光ディスクにデータを記録／再生する記録/再生部と、
前記筐体のいずれかの位置に配設した透孔と、
前記透孔から前記筐体の内部の空気を排出する真空ポンプ部と、
を具備し、
前記筐体内の記録/再生部に搬送した前記トレイの前記光ディスクを該筐体内部に搬送した状態で該筐体の周囲全体を覆うことにより該筐体内部を密閉し、前記真空ポンプ部により該筐体内の気圧を減圧することを特徴とする電子機器。
【請求項２】
光ディスクを記録/再生する光ディスク記録/再生装置に於いて、
前記光ディスクを載置し、該光ディスクを筐体の外部から内部に搬送するトレイと、
前記トレイによって前記筐体内に搬送される前記光ディスクを回転させ、該光ディスクにデータを記録／再生する記録/再生部と、
前記筐体のいずれかの位置に配設した透孔と、
前記透孔から前記筐体の内部の空気を排出する真空ポンプ部と、
を具備し、
前記筐体内の記録/再生部に搬送した前記トレイの前記光ディスクを該筐体内部に搬送した状態で該筐体の周囲全体を覆うことにより該筐体内部を密閉し、前記真空ポンプ部により該筐体内の気圧を減圧することを特徴とする光ディスク記録/再生装置。
【請求項３】
前記真空ポンプ部を前記筐体内または該筐体外に配設したことを特徴とする請求項１記載の電子機器。
【請求項４】
前記真空ポンプ部の真空ポンプ用モータを前記記録／再生部のターンテーブル駆動用モータで兼用したことを特徴とする請求項１記載の電子機器。
【請求項５】
前記筐体内の密閉状態を検出する検知手段を介して、前記真空ポンプ部を駆動するようにしたことを特徴とする請求項１記載の電子機器。
【請求項６】
前記筐体内に配設した、前記記録／再生部の回転速度に応じて前記真空ポンプ部を駆動するようにしたことを特徴とする請求項１記載の電子機器。
【請求項７】
前記筐体内の気圧が所定の一定気圧に達した時に、前記真空ポンプ部の駆動を停止するようになしたことを特徴とする請求項１記載の電子機器。
【発明の詳細な説明】
【技術分野】
【０００１】
本発明は光ディスクにデータを記録および/またはデータを再生する電子機器ならびに光ディスク記録/再生装置に係り、特に、光ディスクの高速回転により生ずる風切り騒音を低減可能な電子機器および光ディスク記録/再生装置に関する。
【背景技術】
【０００２】
近時、光ディスクは大容量化が進み、例えば、ＨＤ−ＤＶＤ（High Definition Digital Versatile Disc  高密度多目的デジタルディスク）やＢＤ（Blueray Disc  ブルーレイディスク）の様に高密度化および超大容量化がなされている。これらの光ディスクにデータを記録および/またはデータを再生させるために、各種光ディスク記録／再生装置が提案されている。光ディスクに記録された大容量のデータを用いて各種記録／再生処理を行うには光ディスクに記録／再生されたデータを高速で書き込み／読み出すことが必要となる。
【０００３】
一般に高速データの書き込み／読み出し（記録／再生）方法としては、光ディスクを駆動するためにスピンドルモータの回転数を高く設定しているが、光ディスクの再生回転数を高くしていくと、光ディスクの風切り騒音が増大することになる。例えば、ＣＤ（Compact Disc  コンパクトディスク）記録/再生装置の駆動部の基準回転速度の線速度が１.２５ｍ/sであるとすると、例えば、ＨＤ−ＤＶＤ記録/再生装置の駆動部を１倍速の線速度である６.６１ｍ/sで回転させたときはＣＤ記録/再生装置の駆動部の回転数は５〜６倍速に相当するから、ＨＤ−ＤＶＤ記録/再生装置の駆動部を数倍速で回転させたとしても、ＣＤ記録/再生装置の駆動部の数十倍速となり、光ディスクを回転させたときの騒音レベルは更に拡大することになる。
【０００４】
上述の光ディスク記録/再生装置の風切り騒音を低減させる方法は従来から各種提案されている。従来の特許文献１に開示されている光ディスク装置は、光ディスクの回転に伴って発生する風切り音を低減するため、光ディスク駆動部にスライド自在に成した筐体の天板部内面が光ディスク駆動部のトレイに対向する様になされている。筐体の内面領域には凹凸のパターンが設けられ、吸音効果を有するシートが貼付けられ、該パターンは、光ディスク表面に発生する空気流の方向に対して反対方向に回転する向きに多数の三日月状のパターンが配置され、天板部の中心部には円形孔を有している。特許文献１に開示の光ディスク装置によれば、該凹凸パターンによって光ディスク表面からの空気層の剥離がスムーズになり、その際の空気流を該円形孔から逃がし、騒音を低下させることができる。
【０００５】
また、特許文献１と同様の目的を達成するための光ディスク装置が特許文献２に開示されている。この光ディスク装置の筐体には、トレイが出入り可能に装着され、このトレイ基板には切欠孔が形成されている。また、天板部は特許文献１と略同様の構成を有し、該切欠孔は光ディスクを回転させる際に該ディスク下面に発生する空気流を流出するために設けられる。さらに、凹凸パターンは、光ディスクが回転する際に、その光ディスク上面からの空気層の剥離をスムーズとするために設けられて、切欠孔および天板部に形成した凹凸のパターンによってディスク表面の空気流を原因とする騒音を低下させている。
【０００６】
上述の特許文献１および特許文献２に開示の光ディスク装置では、上述の天板部およびトレイ基板に穿たれた切欠孔から外部に漏れ出した空気流は、回転速度の高速化に伴って、空気流を逃がすことで低減化した騒音よりも切欠孔から漏れ出した騒音の方が大きくなり、また、天板部の内面に形成した特定パターン形状によっては逆に騒音が大きくなる可能性を有する課題があつた。
【０００７】
上述の特許文献１および特許文献２と同様の課題を解決するために、遮音壁または仕切壁を光ディスクとドア間或いは光ディスクとフロンントパネル間に配設した光ディスク装置およびディスク回転装置が特許文献３及び特許文献４に開示されている。
【０００８】
特許文献３の光ディスク装置に於いては、回転の対象となる光ディスクがトレイに保持されて、開口部を介して筐体内の所定の回転位置に挿入されると、該開口部はドアにより閉塞される。このとき、光ディスクと該ドアとの間に遮音壁が位置するようにする。これにより、風切り音などの光ディスクの回転に伴う騒音は該遮音壁で反射され、その結果筐体外部に音が漏れるのを抑制することを可能としている。
【０００９】
また、特許文献４には、図５に示すように、筐体３に形成された開口４を収納部に位置するトレイ６のフロントパネル２で閉止し、さらに、フロントパネル２と光ディスク５との間にはターンテーブル７に載置した光ディスク５をクランパ９により保持し、このクランパ９を固定するクランパ保持プレート１０に、仕切壁１を形成する。これにより、光ディスク５の回転に伴って発生する風切音が主な原因となる騒音の開口４からの漏れ出しが、フロントパネル２と仕切壁１との二重の壁によって行われるので、開口４からの騒音の漏れ出しを有効に防止することが可能な光ディスク装置が開示されている。
【００１０】
上述の特許文献３及び特許文献４に開示の光ディスク装置およびディスク回転装置では、遮音壁、仕切壁の構造／材料／使用環境によっては、対策の効果が充分に得られない課題を有していた。
【００１１】
【特許文献１】特開２００１−１１０１７５号公報
【特許文献２】特開２００１−４３６１３号公報
【特許文献３】特開２００５−１４９６４１号公報
【特許文献４】特開２００３−２７２３６８号公報
【発明の開示】
【発明が解決しようとする課題】
【００１２】
本発明は叙上の課題を解消するために成されたもので、本発明が解決しようとする課題は、光ディスクの高速回転時に生ずる風切り騒音を遮音壁、仕切壁の構造／材料／使用環境に依存することなく、高速回転する光ディスク表面付近の空気層の気圧を低減可能な電子機器および光ディスク記録／再生装置を提供することを目的とする。
【課題を解決するための手段】
【００１３】
本発明の請求項１記載の発明は、光ディスクを記録/再生する電子機器に於いて、光ディスクを載置し、この光ディスクを筐体の外部から内部に搬送するトレイと、このトレイによって筐体内に搬送される光ディスクを回転させ、光ディスクにデータを記録／再生する記録/再生部と、筐体のいずれかの位置に配設した透孔と、この透孔から筐体の内部の空気を排出する真空ポンプ部と、を具備し、筐体内の記録/再生部に搬送したトレイの光ディスクを筐体内部に搬送した状態で筐体の周囲全体を覆うことにより筐体内部を密閉し、真空ポンプ部により筐体内の気圧を減圧することを特徴とする電子機器としたものである。
【００１４】
本発明の請求項２記載の発明は、光ディスクを記録/再生する光ディスク記録/再生装置に於いて、光ディスクを載置し、光ディスクを筐体の外部から内部に搬送するトレイと、このトレイによって筐体内に搬送される光ディスクを回転させ、光ディスクにデータを記録／再生する記録/再生部と、筐体のいずれかの位置に配設した透孔と、この透孔から筐体の内部の空気を排出する真空ポンプ部と、を具備し、筐体内の記録/再生部に搬送したトレイの光ディスクを筐体内部に搬送した状態で筐体の周囲全体を覆うことにより筐体内部を密閉し、真空ポンプ部により筐体内の気圧を減圧することを特徴とする光ディスク記録/再生装置としたものである。
【発明の効果】
【００１５】
本発明によれば、光ディスクを高速回転時に発生する光ディスク表面近傍に生ずる空気層そのものの量を最小限、かつ一定レベルに保持可能となり、結果として風切り騒音を根本から低減可能な電子機器および光ディスク記録／再生装置を提供することが出来る効果を有する。
【発明を実施するための最良の形態】
【００１６】
以下、本発明の電子機およびディスク記録／再生装置を、ＨＤ−ＤＶＤあるいはＢＤの様な光ディスクからなる担体に（を）記録および／または再生する電子機器ならびに光ディスク記録／再生装置に適用した構成の１形態例を図１乃至図４により説明する。
【００１７】
図１は、本発明の電子機器および光ディスク記録／再生装置の１形態例を示す平面図、図２（Ａ）は、本発明の電子機器および光ディスク記録／再生装置の１形態例の光ディスクのローディング状態を示す側断面図、図２（Ｂ）は、本発明の電子機器および光ディスク記録／再生装置の１形態例を示す光ディスクの記録／再生状態を示す側断面図、図３（Ａ）（Ｂ）は本発明の電子機器および光ディスク記録／再生装置に用いる真空ポンプ部の駆動方法を説明するフローチャート、図４（Ａ）は、本発明の電子機器および光ディスク記録／再生装置の他の形態例を示す斜視図、図４（Ｂ）は、本発明の電子機器および光ディスク記録／再生装置の、さらに他の形態例を示す斜視図である。
【００１８】
図１に於いて、１２は全体として電子機器或いは光ディスク記録／再生装置を示し、筐体１３の開口部１３ａからトレイ１４を筐体１３内に挿入した状態を示す一部を断面とした平面図であり、トレイ１４は略箱型に形成された筐体１３の側板１３ｄの前面（図１の上方）に形成された略矩形状の透孔よりなる開口部１３ａに摺動自在に挿脱可能とされている。このトレイ１４には光ディスク１５を載置保持可能な凹部１６ａと、この凹部１６ａの中心に形成された透孔１６ｂからなる担体載置部１６およびトレイ１４を構成する略矩形状トレイベースの側面に配設したラックギヤ１７とトレイ１４を案内する筺体１３の底板１３ｂに立設した案内部１８Ｌ、１８Ｒより構成されている。トレイ１４のトレイベース側面に形成したラックギヤ１７は、筐体１３の底板１３ｂに固定されたトレイ駆動用モータ１９の回転軸に嵌合されたピニオン２０と噛合わされ、案内部１８Ｌ、１８Ｒに沿ってトレイ１４はトレイ駆動用モータ１９によりラックギヤ１７に噛合ったピニオン２０を介して、図１において摺動可能にガイドされる。
【００１９】
トレイ駆動用モータ１９は、図示しないモータ駆動制御部によって回転駆動制御することによって、ピニオン２０はラックギヤ１７と噛合い、トレイ１４は案内部１８Ｌ、１８Ｒに沿って摺動可能にガイドされて矢印Ａ−Ｂ方向で示す前後方向にスライドされる。
【００２０】
筐体１３の底板１３ｂの略中心前部位置には、トレイ１４の担体載置部１６に載置した光ディスク１５にデータを記録または／および再生する光ディスク記録部または／および再生部（以下、記録／再生部と記す）２１が配設されている。この記録／再生部２１を構成する矩形状のサブベース１１上には、光ディスク１５を回転駆動するスピンドルモータ２５およびターンテーブル２２および光ピックアップ２３ならびに、この光ピックアップ２３をピックアップ移動軸に沿って光ディスク１５の径方向にスライドするピックアップ駆動部２４を有する。
【００２１】
サブベース１１の前後面には筐体１３の底板１３ｂから立設した２つの昇降駆動部２６を有している。この昇降駆動部２６は光ピックアップ駆動部２４を含む記録／再生部２１を図１に於いて、上下方向（紙面方向）に移動させる。トレイ１４の前面には略矩形状の前面パネル２７が取り付けられている。
【００２２】
筐体１３は長方形状の底板１３ｂと、この底板１３ｂの４方向を囲むように立設した帯状の側板１３ｄと、底部１３ｂと対向する様に配設した長方形状の天板１３ｃを略箱型に空気が漏れない様に密に構成し、側板１３ｄの前部には上記したトレイ１４が挿入可能な略矩形状の開口部１３ａが穿たれ、トレイ１４の前面に配設した前面パネル２７と嵌合する凹部１３ｅが形成されている。筐体１３はトレイ１４が図１に於いて、矢印Ｂ方向に移動し前面パネル２７の後面が筐体１３の凹部１３ｅに当接した状態で内部が密閉された状態となる様に凹部１３ｅにゴムパッキンおよび後述する密閉状態になったことを検出するセンサ３４などが配設されている。
【００２３】
図１には示されていないが（図２参照）、筐体１３の天板１３ｃの内部にはターンテーブル２２と対向する位置に光ディスク１５をクランプするクランパ２８および該クランパ２８を上下方向に駆動するクランパ駆動部２９が配設されている。さらに、筐体１３の底板１３ｂには真空ポンプ部３０が配設されている。この真空ポンプ部３０は、真空ポンプ用のモータ３１およびパイプ３２ならびにポンプ用ロータ３３を含み、筐体１３の側板１３ｄに穿った排気孔１３ｆを介して筐体１３内の空気をパイプ３２を介して排気させることで筐体１３の内部気圧を減圧させる構成と成されている。上記した真空ポンプ部３０の構成としては、容量式真空ポンプや運動量移送式ポンプ等の他に、例えば、特開平１０―１４１２７３号公報や特開平５−１９５９５７号公報に開示された構成の真空ポンプを用いることも出来る。
【００２４】
以下、図２（Ａ）（Ｂ）を参照して上述の本発明に用いる光ディスク記録／再生装置１２の記録／再生方法を説明する。図２（Ａ）は、図１の平面図に示す光ディスク記録／再生装置１２の真空ポンプ部３０および記録／再生部２１が側面から良く見える様に真空ポンプ部３０を筐体１３の後方に移動させた、光ディスク記録／再生装置１２の光ディスクのローディング状態を説明する側断面図、図２（Ｂ）は、本発明の光ディスク記録／再生装置１２の光ディスク１５の記録／再生状態を示す側断面図である。
【００２５】
上述の光ディスク記録／再生装置１２の光ディスク１５を記録／再生する場合を、図２（Ａ）により説明すると、先ず、図示しないが前面パネル２７などに配設したトレイ開閉釦が押圧され、トレイ１４を「開」状態にすると、図示しないＣＰＵ等の制御部の制御により、トレイ１４は光ディスク記録／再生装置１２の筐体１３の側板１３ｄに形成された開口部１３ａを介し、トレイ駆動用モータ１９が時計方向（図１のＣＷ参照）に回転し、トレイ１４のラックギヤ１７と噛合ったピニオン２０によりトレイ１４は前方向（図２（Ａ）の左方向）に移動する。ここで、担体載置部１６の凹部１６ａに光ディスク１５を載置する。この状態のときは、昇降駆動部２６は記録／再生部２１を筐体１３の底板１３ｂ方向（下方）に移動させている。また、クランパ駆動部２９はクランパ２８を天板１３ｃ方向（上方）に移動させた状態となっている。
【００２６】
次に、トレイ１４の凹部１６ａに光ディスク１５を載置し、図３（Ａ）のフローチャートの第１ステップＳ１に示す様に、前面パネル２７などに配設した、開閉釦の押圧によりトレイ１４を「閉」状態にすると、ＣＰＵなどで構成した、制御部の制御により、トレイ１４は光ディスク記録／再生装置１２の筐体１３の側板１３ｄに形成された開口部１３ａを介し、トレイ駆動用モータ１９（図１参照）を反時計方向（ＣＣＷ）に回転させ、トレイ１４のラックギヤ１７と噛合いＣＣＷ方向に回転したピニオン２０によりトレイ１４は後方向（図２（Ａ）の右方向）に移動して図２（Ｂ）に示す状態となる。
【００２７】
トレイ１４の後方向の移動が終了し、図３（Ａ）の第２ステップＳ２に示す様に、トレイ１４の前面パネル２７の後面部が筐体１３の開口部１３ａに形成した凹部１３ｅに設けられたセンサ３４に当接する「ＹＥＳ」状態であれば、制御部は、これを検出し、「ＮＯ」であれば第２ステップＳ２の頭に戻される。次に、第２ステップＳ２が「ＹＥＳ」であり、開口部１３ａが前面パネル２７で密閉された状態を検出すると、図３（Ａ）の第３ステップＳ３に示す様に真空ポンプ部３０を駆動する。制御部は真空ポンプ部３０の真空ポンプ用モータ３１を回転させ、第４ステップＳ４に示す様に筐体１３内の空気はパイプ３２を介して筐体１３外に排気される。このとき、筐体１３の内部が密閉状態であることから、真空ポンプ部３０により筐体１３内部気圧が減圧され筐体内部の空気量は減少する。
【００２８】
次に、第５ステップＳ５では、制御部の制御により、図２（Ｂ）に示す様に昇降駆動部２６は記録／再生部２１を上昇させ、クランパ駆動部２９はクランパ２８を降下させることで光ディスク１５をターンテーブル２２上でクランプして光ディスク１５を回転させる。次の第６ステップＳ６では、光ピックアップ２３を光ディスク１５の径方向に移動させ、光ディスク１５に記録されたデータは光ピックアップ１５を介して記録／再生し、データの記録／再生終了時には第７ステップＳ７に示す様に真空ポンプ部３０はモータ３１の回転を停止し、筐体１３内の空気の排気動作を停止する。
【００２９】
上述した様に本例の光ディスク記録／再生装置１２では、真空ポンプ部３０によって、筐体１３内部の空気を減圧させることにより、筐体１３内部の残留空気は極めて少ない状態となり、光ディスク１５を高速回転させた場合に光ディスク１５の周囲の空気圧が減少した状態となるため、光ディスク１５の周囲が通常の気圧となった状態で光ディスク１５を高速回転させた場合に比べて、真空ポンプ部３０により筐体１３内を減圧させた場合のほうが光ディスク１５の表面での空気との摩擦力が減少されるので、光ディスク１５の風切り騒音を大幅に減少させることが出来る。
【００３０】
なお、上述の図２（Ａ）、図２（Ｂ）の形態例では光ディスク１５を筐体１３に搬送した後に筐体１３内の密閉状態を検出し、真空ポンプ部３０を駆動する方法を説明したが、図３（Ｂ）のフローチャートに示す様に光ディスク１５の回転速度に応じて、真空ポンプ部３０を駆動させるか否かを自動的に制御し、光ディスク１５を高速回転させた場合のみ、真空ポンプ部３０を駆動させ、筐体１３内部を減圧させる様にしても良い。
【００３１】
即ち、図３（Ｂ）の場合は、第１ステップＳＴ１に示す様に光ディスク１５を担体載置部１６に載置したトレイ１４を筐体１３内にローディングし、光ディスク１５を記録／再生する記録／再生部２１を「オン」状態にする。次に、制御部は第２ステップＳＴ２に示す様に、光ディスク１５が記録／再生部２１上で再生または記録状態で、スピンドルモータ２５が定められた風切り騒音を生ずる限界回転数に到達したか否かを検知する。「ＹＥＳ」の場合は第３ステップＳＴ３に進み、真空ポンプ部３０を駆動する。「ＮＯ」の場合は第２ステップＳＴ２の頭に戻される。次の第４ステップＳＴ４では筐体１３内の空気は排気孔１３ｆを介し筐体１３の外部に排気する。第５ステップＳＴ５では、制御部は記録／再生部２１のスピンドルモータ２５の回転数が限界回転数以下になったかを検出し、「ＹＥＳ」では第６ステップＳＴ６に進み、「ＮＯ」では第２ステップＳＴ２の頭に戻される。第６ステップＳＴ６では真空ポンプ部３０の駆動を停止することで本例では、記録／再生部２１の駆動状態でのみ真空ポンプ部３０が駆動される。
【００３２】
さらに、筐体１３内の気圧を計測するセンサを設け、このセンサにより筐体１３内の気圧を制御部が検知し、筐体１３内の気圧が一定値以下に減少した場合に真空ポンプ部３０の駆動を停止するようにして筐体１３内部の気圧を一定の値に保つ様にしても良いことは明らかである。
【００３３】
次に、図４（Ａ）（Ｂ）によって、光ディスク記録／再生装置に配設する真空ポンプ部の他の構成を説明する。図４（Ａ）は、トレイに光ディスクを載置して筐体の内部にローディングする状態を示す他の光ディスク記録／再生装置の真空ポンプ部の要部の斜視図であり、図４（Ｂ）は本例の更に他の光ディスク記録／再生装置の真空ポンプ部の構成を示す要部の斜視図である。
【００３４】
図４（Ａ）の光ディスク記録／再生装置１２は、トレイ１４を筐体１３から引き出した状態を示すもので、トレイ１４の担体載置部１６には光ディスク１５が載置される。筐体１３の底板１３ｂには図１、図２（Ａ）（Ｂ）と同様に、昇降駆動部２６間に昇降可能に記録／再生部２１が設けられ、この記録／再生部２１にはターンテーブル２２や光ピックアップ２３を有する。筐体１３は略箱型に構成され、筐体１３の側板１３ｄには排気孔１３ｆが穿たれ、パイプ３２の１端が密に筐体１３の排気孔１３ｆに挿入固定され、パイプ３２の他端は真空ポンプ部３０に挿着されている。真空ポンプ部３０及び真空ポンプ用モータ３１は図１、図２（Ａ）（Ｂ）とは異なり、筐体１３の外部に配設されている。光ディスク１５の高速記録／再生時には真空ポンプ部３０を駆動し、筐体１５内の空気を排気し、減圧する様にしたので筐体１３の容積を小さくすることが出来て通常の汎用的な記録／再生部機構を利用可能となる。
【００３５】
図４（Ｂ）に示す光ディスク記録／再生装置１２は、図１、図２（Ａ）（Ｂ）と同様に筐体１３内に真空ポンプ部３０を配設し、ターンテーブル２２を回転させるスピンドルモータ２５を真空ポンプ部３０の排気用の真空ポンプ用モータ３１に兼用させたものである。即ち、スピンドルモータ２５の回転軸にプーリやギヤを嵌着し、ベルト３６やギヤ機構等の伝達機構を介して、真空ポンプ部３０に駆動力を伝達し、真空ポンプ部３０のポンプ用ロータ３３を回転させ、筐体１３内の空気を外部に排気するように成したものである。この構成によれば、真空ポンプ部３０を駆動するための真空ポンプ用モータ３１を必要としないので光ディスク記録／再生装置１２の消費電力や部品コストを低く抑えることが出来る。
【００３６】
本発明の電子機器または光ディスク記録／再生装置によると、光ディスクを記録/再生する電子機器または光ディスク記録／再生装置に於いて、光ディスクを載置し、光ディスクを筐体の外部から内部に搬送するトレイと、このトレイによって筐体内に搬送される光ディスクを回転させ、光ディスクにデータを記録／再生する記録/再生部と、筐体のいずれかの位置に配設した透孔と、この透孔から筐体の内部の空気を排出する真空ポンプ部と、を具備し、筐体内の記録/再生部に搬送したトレイの光ディスクを筐体内部に搬送した状態で筐体の周囲全体を覆うことにより筐体内部を密閉し、真空ポンプ部により筐体内の気圧を減圧するようにしたので、記録／再生部のスピンドルモータを高速回転駆動する際にターンテーブルに載置した、光ディスクの表面で筐体内の空気で生じる騒音が真空ポンプによる排気作用で減圧し、筐体外に生ずる騒音を大幅に減少可能となる効果を有する。
【００３７】
また、本発明の電子機器または光ディスク再生／記録装置によると、真空ポンプ部を筐体内に配設したので筐体をコンパクトにまとめられる。また、真空ポンプを筐体外に配設したので、汎用性のある記録／再生部筐体を用いることが出来る効果を有する。
【００３８】
本発明の電子機器または光ディスク記録／再生装置によると、真空ポンプ部の真空ポンプ用モータを記録／再生部のターンテーブル駆動用モータで兼用したので、真空ポンプを駆動する真空ポンプ用モータを必要としないので、光ディスク記録／再生装置の消費電力や部品コストを低く抑えることが出来る効果を有する。
【００３９】
本発明の電子機器または光ディスク記録／再生装置によると、筐体内の密閉状態を検出する検知手段を介して、真空ポンプ部を駆動するようにしたので筐体内の気密状態が検出できて真空ポンプ部を有効に駆動可能となる効果を有する。
【００４０】
本発明の電子機器または光ディスク記録／再生装置によると、筐体内に配設した、記録／再生部の回転速度に応じて真空ポンプ部を駆動するようにしたので光ディスクの高速回転時の騒音の大きいときのみに真空ポンプを駆動して騒音を抑制可能となる効果を有する。
【００４１】
本発明の電子機器または光ディスク記録／再生装置によると、筐体内の気圧が所定の一定気圧に達した時に、真空ポンプ部の駆動を停止するようにしたので、光ディスクの風切り騒音を一定のレベルに保持することが出来る効果を有する。
【００４２】
上述の形態例では、トレイを水平に配し、担体の記録／再生部を昇降駆動部により上下動させる機構について説明したが、本発明は、この構成に限定するものでは無く、トレイを垂直配設し、担体を垂直にトレイに配し、縦型に構成した筐体内にローディングし、記録／再生部やクランパ駆動部を水平方向に配するようにした電子機器および光ディス記録／再生装置等に適用することが出来る。
【産業上の利用可能性】
【００４３】
上述の形態例では電子機器として、ＢＤやＨＤ−ＤＶＤの光ディスク記録／再生装置について説明したが、本発明に適用可能な電子機器としては、ＣＤ、汎用のＤＶＤ、ＭＤ（ミニディスク）、ＶＤ（ビデオディスク）、ＨＤＤ（ハードディスクドライブ）等のディスク担体記録装置または／および再生装置、記録／再生機能付きＴＶ受像機、ＤＶＤ、ＣＤ、ＨＤＤなどの書き込み、読み出し機能を有するコンピュータ等に適用可能である。
【図面の簡単な説明】
【００４４】
【図１】本発明の本発明の電子機器および光ディスク記録／再生装置の１形態を示す平面図である。
【図２】本発明の電子機器および光ディスク記録／再生装置の１形態例の光ディスクのローディング状態および光ディスクの記録／再生状態を示す側断面図である。
【図３】本発明の電子機器および光ディスク記録／再生装置に用いる真空ポンプ部の駆動方法を説明するフローチャートである。
【図４】本発明の電子機器および光ディスク記録／再生装置の他の形態例とさらに他の形態例を示す斜視図である。
【図５】従来の光ディスク装置の側断面図である。
【符号の説明】
【００４５】
１・・・・仕切版、２・・・・フロントパネル、３、１３・・・・筐体、４・・・・開口、５、１５・・・・光ディスク、６、１４・・・・トレイ、７・・・・ターンテーブル、９、２８・・・・クランパ、１０・・・・クランパ保持プレート、１１・・・・サブプレート、１２・・・・光ディスク記録／再生装置、１３ａ・・・・開口部、１３ｂ・・・・底板、１３ｃ・・・・天板、１３ｄ・・・・側板、１３ｅ・・・・凹部、１３ｆ・・・・排気孔、１６・・・・担体載置部、１６ａ・・・・凹部、１６ｂ・・・・透孔、１７・・・・ラックギヤ、１８Ｌ、１８Ｒ・・・・案内部、１９・・・・トレイ駆動用モータ、２０・・・・ピニオン、２１・・・・記録／再生部、２２・・・ターンテーブル、２３・・・・光ピックアップ、２４・・・・ピックアップ駆動部、２５・・・・スピンドルモータ、２６・・・・昇降駆動部、２７・・・・前面パネル、２８・・・・クランパ、２９・・・・クランパ駆動部、３０・・・・真空ポンプ部、３１・・・・モータ、３２・・・・パイプ、３３・・・・ポンプ用ロータ、３４・・・・センサ、３６・・・・ベルト
【図１】
2008226419.tif 000003
【図２】
2008226419.tif 000004
【図３】
2008226419.tif 000005
【図４】
2008226419.tif 000006
【図５】
2008226419.tif 000007